(57)【特許請求の範囲】
【請求項１】
圧電体により振動板を起振して警報音を出力する電子式警音器において、前記警報音の基本周波数の変調矩形波を発生する手段と、前記警報音の基本周波数の高調波の周波数の基本矩形波を発生する手段と、前記基本矩形波を前記変調矩形波で変調する手段と、変調時の周波数偏移を前記基本矩形波の周波数に対して所定の範囲に設定する手段と、前記各手段で変調された変調波で前記圧電体を駆動する手段とを備え、かつ前記変調波で駆動される前記圧電体によって出力される前記警報音が電磁式ホーンから出力される警報音の音色に近似したものになるように、前記基本矩形波の周波数範囲、前記変調矩形波の周波数範囲、および前記変調時の周波数偏移範囲が設定されている電子式警音器。
【請求項２】
前記基本矩形波の周波数として、前記振動板の共振周波数を設定した請求項１に記載の電子式警音器。
【請求項３】
前記基本矩形波の周波数を前記変調矩形波の周波数の４倍〜１０倍に設定した請求項１又は２に記載の電子式警音器。
【請求項４】
前記基本矩形波の周波数を１８００〜３５５０Ｈｚ、好ましくは２０００〜３１５０Ｈｚの間で設定し、前記変調矩形波の周波数を２９０〜５８０Ｈｚ、好ましくは３１０〜４４０Ｈｚの間で設定し、かつ前記周波数偏移を、前記基本矩形波の周波数に対して−１１〜−２５ｄＢ、好ましくは−１５〜−２１ｄＢの間で設定した請求項１ないし３のいずれかに記載の電子式警音器。
【発明の詳細な説明】
【技術分野】
【０００１】
本発明は車両等に使用される電子式警音器に関するものである。
【背景技術】
【０００２】
車両等に使用される警音器としては、いわゆる電磁式平型ホーンが多用されている。その一例を図６に示す。図６において、警音器は開放容器状の円形ハウジング９１を有し、当該ハウジング９１の中心に固定鉄心９２が設けられている。固定鉄心９２と対向して可動鉄心９３が設けられている。可動鉄心９３は、ハウジング９１の開口を閉鎖するように張設された金属製ダイヤフラム板９４の裏面中心に固定されて、ダイヤフラム板９４のバネ力によって固定鉄心９２と一定の間隔をおいて対向して位置させられている。ダイヤフラム板９４の前方（図６の上方）には共鳴板９５が設けられて、その中心がダイヤフラム板９４の表面中心に固定されている。【０００３】
固定鉄心９２を囲むハウジング９１部分には電磁コイル９６が配設されている。電磁コイル９６の一端は接点９７を介してハウジング９１に設けた電源ターミナル９８に導通している。また、電磁コイル９６の他端はハウジング９１に設けたアースターミナル９９に導通している。上記接点９７は固定接点９７１と可動接点９７２で構成されており、固定接点９７１が電源ターミナル９８に導通固定されるとともに、可動接点９７２はバネ板９７３上に設けられて固定接点９７１に接触導通している。バネ板９７３の先端は可動鉄心９３の段付き面に当接している。【０００４】
警音器に通電すると、電源ターミナル９８から固定接点９７１、可動接点９７２、電磁コイル９６、アースターミナル９９へと電流が流れて、図７に示すように電磁コイル９６によって磁化された可動鉄心９３が固定鉄心９２へ引きつけられてこれに衝突し、衝突時の衝撃が共鳴板９５に伝わって発音される。可動鉄心９３が固定鉄心９２に向けて移動するとバネ板９７３が変形して可動接点９７２が固定接点９７１から離れ、電流が遮断される。これにより可動鉄心９３がダイヤフラム板９４のバネ力で図６に示す原位置へ戻され固定鉄心９２から離れる。【０００５】
そこで再び電磁コイル９６に通電がなされて、可動鉄心９３が固定鉄心９２に再度引きつけられる。この動作が繰り返されることによって所望の音色（周波数帯）を有する警報音が発生させられる。なお、このような電磁式平型ホーンの一例は特許文献１に示されている。
【先行技術文献】
【特許文献】
【０００６】
【特許文献１】特開２０１３−２５０７８号
【発明の概要】
【発明が解決しようとする課題】
【０００７】
しかし、電磁式平型ホーンは機械的作動部が多いために摩耗等による寿命の問題があるとともに、電磁コイルや鉄心を内設していることによって全体が大型化するという問題があった。そこで、振動体として圧電素子を使用した電子式ホーン（警音器）が提案されているが（例えば特開昭５９−７９２９４号）、電子式警音器では電磁式平型ホーンと同様の音色を実現することが難しいという理由で、特に車両用警音器では電子式警音器は未だ一般的には採用されていない。【０００８】
そこで、本発明はこのような課題を解決するもので、従来の電磁式平型ホーンと同様の音色を実現でき、小型かつ軽量で低コストである上に長寿命な電子式警音器を提供することを目的とする。
【課題を解決するための手段】
【０００９】
上記目的を達成するために、本第１発明では、圧電体（６）により振動板（４）を起振して警報音を出力する電子式警音器において、前記警報音の基本周波数の変調矩形波を発生する手段（８４）と、前記基本周波数の高調波の周波数の基本矩形波を発生する手段（８３）と、前記基本矩形波を前記変調矩形波で変調する手段（８３）と、変調時の周波数偏移を前記基本矩形波の周波数に対して所定の範囲に設定する手段（８３）と、前記各手段で変調された変調波で前記圧電体（６）を駆動する手段（８１）とを備え、かつ前記変調波で駆動される前記圧電体によって出力される前記警報音が電磁式ホーンから出力される警報音の音色に近似したものになるように、前記基本矩形波の周波数範囲、前記変調矩形波の周波数範囲、および前記変調時の周波数偏移範囲が設定されている。
【００１０】
本第１発明において、前記基本周波数を従来の電磁式平型ホーンの警報音の基本周波数と一致ないし近いものに設定すると、電子式警音器の警報音として前記電磁式平型ホーンと同様の音色が得られる。また、本第１発明の電子式警音器は、小型かつ軽量で低コストでもある。【００１１】
本第２発明では、前記基本矩形波の周波数として、前記振動板の共振周波数を設定する。【００１２】
本第２発明によれば、電子式警音器の警報音に十分な音圧を付与することができる。【００１３】
本第３発明では、前記基本矩形波の周波数を前記変調矩形波の周波数の４倍〜１０倍に設定する。【００１４】
本第４発明では、前記基本矩形波の周波数を１８００〜３５５０Ｈｚ、好ましくは２２００〜３１５０Ｈｚの間で設定し、前記変調矩形波の周波数を２９０〜５８０Ｈｚ、好ましくは３１０〜４４０Ｈｚの間で設定し、かつ前記周波数偏移を、前記基本矩形波の周波数に対して−１１〜−２５ｄＢ、好ましくは−１５〜−２１ｄＢの間で設定する。【００１５】
上記カッコ内の符号は、後述する実施形態に記載の具体的手段との対応関係を示すものである。
【発明の効果】
【００１６】
以上のように、本発明の電子式警音器によれば、従来の電磁式平型ホーンと同様の音色を実現でき、小型かつ軽量で低コストである。
【図面の簡単な説明】
【００１７】
【図１】電子式警音器の全体断面図である。
【図２】警音回路の構成を示すブロック図である。
【図３】従来の電磁式平型ホーンの、警報音の周波数スペクトラムの一例を示す図である。
【図４】圧電体に印加される駆動電圧信号の一例を示す波形図である。
【図５】電子式警音器の警報音の周波数スペクトラムの一例を示す図である。
【図６】従来の電磁式平型ホーンの全体断面図である。
【図７】従来の電磁式平型ホーンの作動時の全体断面図である。
【発明を実施するための形態】
【００１８】
図１に本発明の電子式警音器の全体断面図を示す。電子式警音器は円形開放容器状の金属板ハウジング１を備えており、ハウジング１の底壁中心には取付用のステー１１がボルト結合されている。ハウジング１内にはこれに沿って開放容器状の樹脂製ホルダ２が挿置してあり、ホルダ２の底壁上にはこれと平行に回路基板３が配設されている。回路基板３はホルダ２の底壁に立設されたピン部２１に嵌装支持されており、当該回路基板３上には後述する警音回路が設けられている。なお、警音回路の回路部品等は図示を省略してある。
【００１９】
ホルダ２の開口を閉鎖して上記回路基板３と平行に振動板としての金属製ダイヤフラム板４が張設されており、ダイヤフラム板４はその外周縁が、ホルダ２の開口縁とホルダ２の開口に覆着された樹脂製共鳴器５の外周縁との間に挟持されている。共鳴器５には外周部の複数個所（本実施形態では周方向等間隔で４箇所）に音出力口５１が設けられている。ダイヤフラム板４には裏面（図１の下面）中心部に円形の圧電体６が接合されている。回路基板３からは圧電体６の一方の電極（図示略）と、圧電体６の他方の電極（図示略）へ通じるダイヤフラム板６とへ、それぞれ出力線３１，３２が延びている。また、回路基板３の一端には、ハウジング１外へ延びる給電コネクタ３３の一端が接続されている。なお、共鳴器５の外方は、長穴状の放音口７１を形成した金属製カバー体７で覆われている。
【００２０】
図２には回路基板３上に設けられた警音回路８の構成を示す。圧電体６の両電極は駆動回路８１に接続されており、駆動回路８１には電圧発生回路８２から駆動用の電圧が供給されている。駆動回路８１には周波数変調・偏移回路８３が接続されており、周波数変調・偏移回路８３には変調矩形波発生回路８４および基本矩形波発生回路８５が接続されている。基本矩形波発生回路８５で発生させられる基本矩形波が、変調波矩形波発生回路８４から出力される変調矩形波によって周波数変調・偏移回路８３で後述のように所定の周波数偏移で周波数変調され、この変調波に応じた駆動電圧信号が駆動回路８１を介して圧電体６に印加されて、当該圧電体６が起振される。なお、周波数変調・偏移回路８３、変調矩形波発生回路８４、基本矩形波発生回路８５をハードウエアではなくソフトウエアで実現しても良い。
【００２１】
ここで、従来の電磁式平型ホーンの、警報音の周波数スペクトラムの一例を図３に示す。図３に示す例では、警報音の基本周波数は３５０Ｈｚであり、当該基本周波数の整数倍の周波数の、複数の高調波ａ〜ｋが存在する。そして、基本周波数の８次の高調波ｇ（２８００Ｈｚ）で共鳴板が共振してその音圧が最も大きくなり、当該音圧は１０５〜１１８ｄＢの範囲にあった。
【００２２】
そこで、変調される基本矩形波の周波数を２８００Ｈｚに設定し、変調矩形波の周波数を３５０Ｈｚ、周波数偏移を４４０Ｈｚ（絶対値）に設定した。この周波数偏移をｄＢで示すと２０log（周波数偏移／基本矩形波の周波数）＝２０log（４４０／２８００）＝−１６ｄＢとなる。周波数偏移を−１６ｄＢに設定したのは、後述するように警報音の音色を良好にできるからである。
【００２３】
上記のように基本矩形波の周波数を２８００Ｈｚ、変調矩形波の周波数を３５０Ｈｚ、周波数偏移を４４０Ｈｚ（絶対値）に設定した場合の、駆動電圧信号の波形を図４に示す。波形は正負に変化する矩形波で、２８００Ｈｚを中心にこれより４４０Ｈｚだけ上下した２３６０Ｈｚの領域Ｘと３２４０Ｈｚの領域Ｙを、２．９ｍｓ（＝１／３５０（Ｈｚ））毎に交互に繰り返すものとなる。
【００２４】
このような駆動電圧を印加された圧電体６により起振されたダイヤフラム板４によって発生させられる警報音の周波数スペクトラムを図５に示す。基本周波数が３５０Ｈｚ、その高調波が複数存在しかつ２８００Ｈｚの、基本周波数の８次高調波ｇの音圧が最も大きくなって、一例として示した従来の電磁式平型ホーンから出力される警報音の周波数スぺクトラムと同様のものになる。
【００２５】
なお、音圧については、例えばダイヤフラム板４を板厚０．３ｍｍでφ６４のＳＵＳ板で構成し、振動板として板厚０．３ｍｍでφ４０の圧電体６を使用して、当該圧電体６に絶対値６２．５Ｖで正負に変化する上記駆動電圧を印加するようにすれば、駆動周波数をダイヤフラム板４の共振周波数近傍とした時に１１０ｄＢ程度の十分な音圧を得ることができる。なお、ダイヤフラム板４の共振周波数はその板厚と外径を変えることで変更することができる。
【００２６】
ここで５人の被験者による官能試験によれば、表１に示すように、基本矩形波の周波数は１８００〜３５５０Ｈｚの範囲（表１の一重丸が付された範囲）に設定すると電磁式平型ホーンから出力される警報音の音色に近い音色が得られ、２０００〜３３５０Ｈｚの範囲が特に好ましい（表１の二重丸が付された範囲）。１６００Ｈｚでは電磁式平型ホーンの音色から外れる場合があり、１４００Ｈｚ以下では十分な音圧が得られない。また、３７５０Ｈｚでは電磁式平型ホーンの音色よりもやや甲高い音になり、３９５０Ｈｚ以上では甲高い音になる。
【００２７】
【表１】
0006041370.tif 000002
【００２８】
変調矩形波の周波数については、表２に示すように、２９０〜５８０Ｈｚの範囲（表２の一重丸が付された範囲）に設定すると電磁式平型ホーンから出力される警報音の音色に近い音色が得られ、３１０〜４４０Ｈｚの範囲が特に好ましい（表２の二重丸が付された範囲）。２７０Ｈｚではややうなりが感じられることが有り、２５０Ｈｚ以下ではうなりが感じられるようになる。また、６００Ｈｚでは電磁式平型ホーンに対してやや単調な音になり、６２０Ｈｚ以上では完全に単調な音になる。
【００２９】
【表２】
0006041370.tif 000003
【００３０】
周波数偏移については、表３に示すように、−１１〜−２５ｄＢの範囲に設定すると電磁式平型ホーンから出力される警報音の音色に近い音色が得られ（表３の一重丸が付された範囲）、−１５〜―２１ｄＢの範囲が特に好ましい（表３の二重丸が付された範囲）。−７ｄＢでは少し音が割れ、−３ｄＢ以下では音が割れる。また、−２９ｄＢでは電磁式平型ホーンに対してやや単調な音になり、−３３ｄＢ以上では単音に近くなる。
【００３１】
【表３】
0006041370.tif 000004
【符号の説明】
【００３２】
１…ハウジング、２…ホルダ、３…回路基板、４…ダイヤフラム板（振動板）、６…圧電体、８…警音回路、８１…駆動回路、８３…周波数変調・偏移回路、８４…変調波発生回路、８５…基本矩形波発生回路。
【図１】
0006041370.tif 000005
【図２】
0006041370.tif 000006
【図３】
0006041370.tif 000007
【図４】
0006041370.tif 000008
【図５】
0006041370.tif 000009
【図６】
0006041370.tif 000010
【図７】
0006041370.tif 000011